(57)【要約】      （修正有）【課題】コート本体部に着脱可能であって、コートの長さを調整できる延長部を備え、そのコート本体部と延長部には、両者を係合するための係止部及び係合部を設けることにより、外観的にも着衣状態の不体裁がなく、また、ロングコート又はショートコート、何れでも使用することができるコートを提供する。【解決手段】着用者の臀部を覆う程の着丈を有するコート本体部２と、コート本体部２に着脱可能であって、装着時にはコート全体の着丈を下方へ延長する延長部３とを備え、延長部３は、コート本体部２の内周であって、着用者の腰部に相当する高さ位置に設けた係止部に係合可能な係合部を外周に備えることを特徴とする。【選択図】図１
0003210733.tif 000002
【実用新案登録請求の範囲】
【請求項１】
着用者の臀部を覆う程の着丈を有するコート本体部と、
前記コート本体部に着脱可能であって、装着時にはコート全体の着丈を下方へ延長する延長部とを備え、
前記延長部は、コート本体部の内周であって、着用者の腰部に相当する高さ位置に設けた係止部に係合可能な係合部を外周に備えることを特徴とするコート。
【請求項２】
前記係止部は胴回り方向に複数設けたボタンであり、前記係合部は該ボタンに対応するように設けた複数のボタンホールであることを特徴とする請求項１に記載のコート。
【請求項３】
前記係止部と前記係合部は胴回り方向に設けた一対のファスナーであることを特徴とする請求項１に記載のコート。
【請求項４】
前記コート本体部の内周下端に第２係止部を設けると共に、前記延長部は該第２係止部に係合可能な第２係合部を備えることを特徴とする請求項１に記載のコート。
【考案の詳細な説明】
【技術分野】
【０００１】
本考案は、着用者の用途に応じて、ロングコート、又はショートコート何れでも使用することができるコートに関するものである。
【背景技術】
【０００２】
従来より、冬の防寒対策やお洒落アイテムとして、トレンチコートやＰコート等、ロングコート又はショートコートを着用している。前者の場合、主として肩部から膝部まで着丈があり、特に防寒対策に適するコートであり、後者の場合、主として肩部から臀部まで着丈があり、ジャケット的に気軽に着用することができるコートである。
【０００３】
しかしながら、コートは多種多様であり、例えば、その日の気候、イベント、気分等からロングコート又はショートコートを決めること多々あり、その場合に備え、何種類ものコートを購入することがある。
【０００４】
そこで、このような不便さを解消させるため、ロングコート又はショートコートいずれにもなるコートが提案されている（特許文献１の図１及び図４参照）。本コートは、臀部周辺に備えた連結部を介してコートの長さを変えることができ、例えば、その日の気候やイベント等の状況に応じてロングコート又はショートコート何れにも使い分けることができるコートとなっている。
【先行技術文献】
【特許文献】
【０００５】
【特許文献１】実用新案登録第３０５２４２３号公報
【考案の概要】
【考案が解決しようとする課題】
【０００６】
しかしながら、本コートは、連結部全体が覆い隠されていない。そのため、連結部がそのままの形で外部に露出しており体裁が悪く、また、例えば、連結部が金属製のファスナー等であった場合に、雨や雪などの悪天候等でこのコートを使用したら、連結部が錆等により腐食して機能しなくなる恐れもある。更に、連結部が臀部周辺に一カ所しか備えておらず、連結の安定さに欠けている。
【０００７】
そこで、本考案は、従来の連結可能なコートにおける前述した課題を解決するためになされたものであり、コート本体部に着脱可能であって、コートの長さを調整できる延長部を備え、そのコート本体部と延長部には、両者を係合するための係止部及び係合部を設けることにより、外観的にも着衣状態の不体裁がなく、また、ロングコート又はショートコート、何れでも使用することができるコートの提供を目的としたものである。
【課題を解決するための手段】
【０００８】
本考案は、着用者の臀部を覆う程の着丈を有するコート本体部と、前記コート本体部に着脱可能であって、装着時にはコート全体の着丈を下方へ延長する延長部とを備え、前記延長部は、コート本体部の内周であって、着用者の腰部に相当する高さ位置に設けた係止部に係合可能な係合部を外周に備えることを特徴とする。
【０００９】
また、本考案は、前記コートにおいて、係止部は胴回り方向に複数設けたボタンであり、前記係合部は該ボタンに対応するように設けた複数のボタンホールであることを特徴とする。
【００１０】
また、本考案は、前記コートにおいて、係止部と前記係合部は胴回り方向に設けた一対のファスナーであることを特徴とする。
【００１１】
また、本考案は、前記コートにおいて、コート本体部の内周下端に第２係止部を設けると共に、前記延長部は該第２係止部に係合可能な第２係合部を備えることを特徴とする。
【考案の効果】
【００１２】
本考案のコートによれば、コート本体部と延長部を係合させる係止部をコート本体部の内側に設けたので、外観的に着衣状態の体裁が良くなると共に、雨等の悪天候で使用しても、係止部が雨等に当らないため、早期に腐食することがなくなり、長期間使用できる。
【００１３】
また、コート本体部に設けた係止部と延長部に設けた係合部によりコートの長さを調整することができるので、その日の気候等により、ロングコート又はショートコート、何れにも使い分けることができる。
【００１４】
また、例えば、コート本体部が汚れた場合でも、そのコート本体部だけを個別に洗うことができるので、延長部を洗う必要がなく経済的になる。
【００１５】
また、コート本体部の腰部とその腰部下端に係止部を上下二段備え、それに応じた係合部を延長部の上端に上下二段で備えているため、両者を全て係合することにより、係合部分がより安定し、延長部のふら付きを防止するができる。
【００１６】
また、コート本体部の着丈が肩部から臀部まで、延長部の着丈が腰部から膝部まであるので、本コートをロングコートとして着用した場合に、着用者の腰部から臀部にかけて二重構造になり、腰冷えを防止することができる。
【図面の簡単な説明】
【００１７】
【図１】本考案のコートのコート本体部と延長部が一体となり、ロングコートとなっている状態を示す正面図である。
【図２】本考案のコートのコート本体部と延長部を分離させ、コート本体部と延長部の内側一部をそれぞれ広げた状態を示す正面図であり、（１）が、係止部をコート本体部の腰部内周に備えた状態を示す図面、（２）が、係合部を延長部の上端部の外周に備えた状態を示す図面である。
【図３】図２と同様の正面図であり、（１）が、係止部をコート本体部の腰部内周とその下端に上下二段として備えた状態を示す図面、（２）が、係合部を延長部の上端部の外周に上下二段として備えた状態を示す図面である。
【考案を実施するための形態】
【００１８】
以下に、本考案のコートを各図面に基づいて詳細に説明する。図１は、本コートがロングコートなっている状態を示す概略正面図、図２及び図３は、本コートのコート本体部と延長部を分離させた状態であって、それぞれを一部広げた状態を示す正面図である。
【００１９】
図１に示すように、本コート１は、前開きの打合せが重なり合ったダブルブレストタイプのロングコートであって、コート本体部２と延長部３とからなる。
【００２０】
図２（１）に示すように、本コート１は、コート本体部２の腰部６の内周方向に設けられた係止部４であるボタン、及び図２（２）に示すように、延長部３の上端部７の外周方向に設けられた係合部５であるボタンホールを備えている。
【００２１】
そして、すべてのボタンをボタンホールにはめれば、着丈を下方へ延長することができるので、図１に示すロングコートとして、全てのボタンをボタンホールから外せばショートコートとして使用することができる。
【００２２】
また、本コート１の素材はポリエステルでもウールでも構わない。防寒機能が優れて腰冷えを防止でき、気軽に着こなせることができる素材であれば特に限定されない。また、本コート１を防水加工して、レインコートと使用しても良い。
【００２３】
次に、本コート１のコート本体部２及び延長部３における第１の実施例について説明する。
【００２４】
図２（１）に示すように、コート本体部２は、肩部から臀部周辺まで着丈があるショートコートであり、着用者の腰部６に相当する高さに係止部４であるボタンが、外部から見えないよう内周方向に複数個横一列に備えている。このようにすれば、係止部４が外部から見えなくなり、本コート１の体裁が良好になると共に、裾口に係止部４を設けた場合に比して、雨等が係止部４にあたらなくなり、腐食しづらくなるからである。
【００２５】
図２（２）に示すように、延長部３は、着用者の腰部から膝部まで着丈がある比較的長いスカートタイプのものであり、係合部５であるボタンホールが延長部３の上端部７の外周方向に複数個横一列に係止部４であるボタンの数に応じた数だけ備えられている。
【００２６】
そして、コート本体部２の内側に備えた係止部４であるボタンを延長部３の係合部５であるボタンホールにすべてはめれば、前述したように、ロングコートとして、ボタンをすべて外せばショートコートとして着用することができる。
【００２７】
このように、本コート１がロングコート又はショートコートとなれば、その日の天候や気分に応じて臨機応変に、コートの長さを調整することができ、複数のコートを購入する必要がなく、更に、コート本体部２又は延長部３いずれかが汚れた場合でも、その汚れた方のみの洗浄が可能となり経済的である。
【００２８】
また、コート本体部２の着丈が肩部から臀部、延長部３の着丈が腰部から膝部まであるので、ロングコートとして着用した場合、着用者の腰部から臀部にかけて二重構造となり腰冷えを防止することも可能となる。
【００２９】
次に、本コート１のコート本体部２及び延長部３における第２の実施例について説明する。
【００３０】
図３（１）に示すように、コート本体部２には腰部６に備えた係止部４の他、その係止部４が上下二段となるように、腰部６の内周下端にも第２係止部８であるボタンを複数個備えている。
【００３１】
図３（２）に示すように、延長部３には上端部７に備えた係合部５の他、その係合部５が上下二段となるように、上端部７の外周方向の下端にも第２係合部９であるボタンホールを複数備えている。
【００３２】
係止部４と係合部５の数と第２係止部８と第２係合部９の数はそれぞれ同一である。そして、係止部４と係合部５、及び第２係止部８と第２係合部９、それぞれ全て係合すれば、上下二段の係合手段により本コート１であるロングコートが形成されることとなる。そして、上下二段の係合手段によりコート本体部２と延長部３が係合されているため、第１の実施形態より、コート部本体２と延長部３がより強固に係合され、延長部のふら付きを防止することとなる。
【００３３】
なお、本実施例では、係止部４をボタン、係合部５をボタンホールの組合せとしているが、例えば、ファスナー、ドットボタン、スナップボタン、ナットボタンいずれの組合せでもよく、コート本体部２と延長部３が適切に着脱可能となれば特に限定されない。
【符号の説明】
【００３４】
１    本コート
２    コート本体部
３    延長部
４    係止部
５    係合部
６    腰部
７    上端部
８    第２係止部
９    第２係合部
【図１】
0003210733.tif 000003
【図２】
0003210733.tif 000004
【図３】
0003210733.tif 000005